(57)【要約】【課題】簡単な構造で器具本体を通じた反射板の接地を確保できる照明器具を提供する。【解決手段】実施形態の照明器具は、金属製の器具本体と、前記器具本体に保持された光源と、前記器具本体に対して電気的に接続して取り付けられた金属板バネ構造の取付部材と、前記取付部材に保持された金属製の反射板と、を備えている。前記反射板は、前記取付部材が嵌合した取付孔と、前記取付孔の内壁に設けられ、前記取付部材に圧接し、前記取付部材を介して前記器具本体と電気的に接続された突起と、を有する。【選択図】図８
2014011030.tif 000002
【特許請求の範囲】
【請求項１】
金属製の器具本体と、
前記器具本体に保持された光源と、
前記器具本体に対して電気的に接続して取り付けられた金属板バネ構造の取付部材と、
前記取付部材に保持された金属製の反射板と、
を備え、
前記反射板は、前記取付部材が嵌合した取付孔と、
前記取付孔の内壁に設けられ、前記取付部材に圧接し、前記取付部材を介して前記器具本体と電気的に接続された突起と、
を有する照明器具。
【請求項２】
前記突起は、前記反射板における前記取付孔の周辺部分と同じ厚みで、前記取付孔の内壁に一体に設けられている請求項１記載の照明器具。
【請求項３】
１つの前記取付孔に複数の前記突起が設けられている請求項１または２に記載の照明器具。
【請求項４】
前記取付孔の内壁および前記突起を含めた前記反射板の露出部に絶縁性の塗装膜が設けられ、前記突起における前記取付部材との圧接部は前記塗装膜が削れて、前記突起の金属と前記取付部材の金属とが接している請求項１〜３のいずれか１つに記載の照明器具。
【請求項５】
前記反射板は、前記取付部材に対して着脱自在である請求項１〜４のいずれか１つに記載の照明器具。
【発明の詳細な説明】
【技術分野】
【０００１】
本発明の実施形態は、照明器具に関する。
【背景技術】
【０００２】
一般に、照明器具の金属製の器具本体は、器具本体にネジ止めされた電源端子台のアース端子を利用して接地が確保されている。また、器具本体には、反射板などの配光部材が取り付けられることがある。
【０００３】
反射板は、反射性などを付与するために塗装され、その塗装膜は絶縁性である。したがって、塗装されていない金具を反射板とは別に用意し、その金具を反射板に取り付け、その金具を通じて器具本体と反射板とを接続して、反射板の接地を確保した構造が知られている。
【先行技術文献】
【特許文献】
【０００４】
【特許文献１】特開２０００−４８６２３号公報
【発明の概要】
【発明が解決しようとする課題】
【０００５】
簡単な構造で器具本体を通じた反射板の接地を確保できる照明器具を提供する。
【課題を解決するための手段】
【０００６】
実施形態の照明器具は、金属製の器具本体と、前記器具本体に保持された光源と、前記器具本体に対して電気的に接続して取り付けられた金属板バネ構造の取付部材と、前記取付部材に保持された金属製の反射板と、を備えている。前記反射板は、前記取付部材が嵌合した取付孔と、前記取付孔の内壁に設けられ、前記取付部材に圧接し、前記取付部材を介して前記器具本体と電気的に接続された突起と、を有する。
【発明の効果】
【０００７】
低コストで信頼性の高い照明器具の提供を可能にする。
【図面の簡単な説明】
【０００８】
【図１】実施形態の照明器具の模式斜視図。
【図２】実施形態の照明器具における配光部材の模式斜視図。
【図３】実施形態の照明器具における器具本体内の模式斜視図。
【図４】実施形態の照明器具におけるシャーシ、取付部材および反射板の模式端面図。
【図５】実施形態の照明器具におけるシャーシおよび取付部材の模式斜視図。
【図６】実施形態の照明器具における反射板の取付孔および突起の模式斜視図。
【図７】実施形態の照明器具における取付部材が反射板の取付孔に嵌合した部分の模式斜視図。
【図８】実施形態の照明器具における取付部材が反射板の取付孔に嵌合した部分の模式斜視図。
【図９】実施形態の照明器具における取付部材を反射板の取付孔に嵌合させる途中の状態を示す模式斜視図。
【発明を実施するための形態】
【０００９】
以下、図面を参照し、実施形態について説明する。なお、各図面中、同じ要素には同じ符号を付している。
【００１０】
図１は、実施形態の照明器具１の模式斜視図である。
【００１１】
実施形態の照明器具１は、天井に取り付けられ、図１は、天井面とは反対側の下方空間に向けられる発光面側を表す。
【００１２】
照明器具１は、器具本体１０と、器具本体１０内に保持された光源としての蛍光ランプ２０と、配光部材５０とを有する。配光部材５０は、器具本体１０における下方に向けられる開口側に設けられている。
【００１３】
図２は、配光部材５０の模式斜視図である。  
図３は、図１の照明器具１において、配光部材５０を取り外した状態の模式斜視図である。
【００１４】
器具本体１０は、天井面の反対側の下方空間に向けられる側が開放されたケース状に形成されている。器具本体１０は、金属製のシャーシ１１と、シャーシ１１の長手方向の端部に設けられた金属製の一対のエンドプレート１２とを有する。
【００１５】
図３に示すように、光源として例えば直管形の蛍光ランプ２０が、器具本体１０内に保持されている。一対（２本）の蛍光ランプ２０が、それぞれ、器具本体１０の短手方向の端側に配置されている。
【００１６】
器具本体１０のエンドプレート１２の内側にはランプソケット２１が設けられている。蛍光ランプ２０の長手方向の端部は、ランプソケット２１に対して着脱自在に装着されている。
【００１７】
なお、蛍光ランプ２０に限らず、光源として例えばＬＥＤ（Light Emitting Diode）を用いた直管形ランプを用いてもよい。
【００１８】
シャーシ１１の底面上における一対の蛍光ランプ２０の間には、電源ユニット７２と端子台７１が設けられている。
【００１９】
シャーシ１１の底面には貫通孔１３が形成されている。照明器具１の外部に設けられた電源と、端子台７１とは、貫通孔１３を通される電気ケーブルを通じて電気的に接続される。また、電源ユニット７２は、器具本体１０内に収容された電気ケーブルを通じて端子台７１と電気的に接続されている。したがって、電源ユニット７２は、端子台７１を介して外部の電源と電気的に接続される。
【００２０】
また、端子台７１には、アース線も接続されている。そのアース線は、貫通孔１３を通じて器具本体１０の外部のアース端子に接続されている。そして、端子台７１を通じて、金属製のシャーシ１１は接地されている。
【００２１】
次に、図２を参照して、配光部材５０について説明する。
【００２２】
配光部材５０は、反射板５１と、複数のバッフル５４と、一対のサイドバー５５とを有する。反射板５１、バッフル５４およびサイドバー５５は、いずれも金属製である。
【００２３】
反射板５１およびサイドバー５５は、器具本体１０の長手方向に沿って延びている。一対のサイドバー５５の間に反射板５１が位置する。
【００２４】
バッフル５４は、反射板５１およびサイドバー５５のそれぞれに形成されたスリット（図７〜８に、反射板５１に形成されたスリット５８を示す）に差し込まれている。複数のバッフル５４が、反射板５１およびサイドバー５５の長手方向に、例えば等間隔で配列されている。
【００２５】
各々のバッフル５４は、反射板５１およびサイドバー５５の長手方向に対して直交する方向に延び、上記スリットに差し込まれて反射板５１およびサイドバー５５に保持されている。反射板５１とサイドバー５５は、複数のバッフル５４を介して、所定の相対位置関係を保って連結されている。
【００２６】
図１に示すように、反射板５１は、一対の蛍光ランプ２０の間に設けられる。反射板５１は、蛍光ランプ２０側から短手方向の中央に向かって上り傾斜した一対の傾斜面５２を有する。その傾斜面５２には例えば白色の塗装膜が形成され、傾斜面５２は蛍光ランプ２０から放出された光を反射させる反射面として機能する。
【００２７】
サイドバー５５は、シャーシ１１の側面と、蛍光ランプ２０との間の空間で、蛍光ランプ２０のすぐ横に位置し、蛍光ランプ２０に重なっていない。
【００２８】
複数のバッフル５４は、器具本体１０の開口側で器具本体１０の短手方向に蛍光ランプ２０を横切りつつ、蛍光ランプ２０の長手方向に所定間隔で配列されている。このため、照明器具１の真下以外の下方空間にいる使用者が照明器具１を特定角度から見上げた際に、バッフル５４によって発光面が遮られ、発光面を直接視認することがなく、まぶしさ感を軽減できる。
【００２９】
反射板５１は、図３に示す一対の取付部材３０を介して、器具本体１０に対して保持される。一対の取付部材３０は、シャーシ１１の長手方向の両端付近にそれぞれ設けられている。
【００３０】
図４は、シャーシ１１、取付部材３０および反射板５１の組付関係を示す模式端面図である。  
図５は、シャーシ１１における取付部材３０が設けられた部分の拡大斜視図である。
【００３１】
図５に示すように、シャーシ１１の底面にはシャーシ１１を補強する金属製のサポートプレート１６が取り付けられている。サポートプレート１６は、シャーシ１１の長手方向に延び、シャーシ１１に対して例えばネジ止めされている。
【００３２】
取付部材３０は、矩形板状のベース部３１と、ベース部３１の長手方向の両端のそれぞれに一体に設けられた一対のアーム部３２とを有する。取付部材３０は、板状の金属板を曲げ加工して形成される。アーム部３２は、ベース部３１の長手方向の端部に片持ち支持された板バネとして機能する。
【００３３】
アーム部３２は、一体に設けられた垂直部３３、傾斜部３５および先端部３６を有する。垂直部３３は、ベース部３１に対して直角に延びている。傾斜部３５は、垂直部３３から、ベース部３１の端部よりも外側に突出するように折り曲げられ、ベース部３１及び垂直部３３に対して傾斜している。先端部３６は、傾斜部３５から、ベース部３１の端部よりも内側に折り曲げられている。
【００３４】
また、垂直部３３と傾斜部３５との間には、２つの角部（コーナー部）が設けられ、そのうち、垂直部３３との境界に設けられた角部は、反射板５１に形成された後述する取付孔６１の内壁に対して係合する係合部３４として機能する。
【００３５】
図５に示すように、サポートプレート１６には矩形状の開口１７がサポートプレート１６を貫通して形成され、その開口１７内に、取付部材３０のベース部３１が嵌まり込んでいる。そして、ベース部３１に形成された例えば２つの貫通孔３７が、シャーシ１１に形成された２つの貫通孔にそれぞれ重ね合わされる。
【００３６】
それら貫通孔には、図４に示すように、ボルト８１が通され、そのボルト８１の先端にはナット８２が螺着される。ボルト８１は、シャーシ１１の外側（図４において上側）からシャーシ１１および取付部材３０のベース部３１を貫通し、ボルト８１の先端はシャーシ１１の内側に突出し、その突出したボルト８１の先端にナット８２が螺着される。これにより、取付部材３０は、シャーシ１１に対して固定される。なおかつ、ベース部３１がシャーシ１１に接して、取付部材３０はシャーシ１１と電気的に接続される。
【００３７】
反射板５１において取付部材３０との係合箇所には、図２に示すように取付孔６１があけられている。シャーシ１１には２つの取付部材３０が設けられ、それぞれの取付部材３０は一対のアーム部３２を有する。したがって、シャーシ１１の底面上には、４つのアーム部３２が突出して設けられており、そのアーム部３２の数と同じ４つの取付孔６１が反射板５１に形成されている。
【００３８】
図６は、反射板５１における取付孔６１の周辺部分の拡大斜視図である。
【００３９】
取付孔６１は、例えば矩形状に形成され、その長手方向は、図７に示すように、反射板５１の短手方向に延びている。
【００４０】
取付孔６１の内壁６２ａ、６２ｂには複数の突起６３ａ、６３ｂが設けられている。例えば、１つの取付孔６１に４つの突起６３ａ、６３ｂが設けられている。取付孔６１における対向する一対の短辺側の内壁６２ａ、６２ｂのうち、一方の内壁６２ａに２つの突起６３ａが設けられ、他方の内壁６２ｂに２つの突起６３ｂが設けられている。
【００４１】
取付孔６１は、例えば金属板の打ち抜き加工で形成される。その打ち抜き加工の際に、突起６３ａ、６３ｂも合わせて形成される。したがって、突起６３ａ、６３ｂは、反射板５１における取付孔６１の周辺部分と同じ厚みで、取付孔６１の内壁６２ａ、６２ｂに一体に設けられている。例えば、突起６３ａ、６３ｂの平面形状は三角形状に形成され、突起６３ａ、６３ｂは三角柱状に形成されている。その三角柱の高さは、反射板５１における取付孔６１の周辺部分の厚みと同じである。
【００４２】
取付孔６１の内壁６２ａ、６２ｂおよび突起６３ａ、６３ｂを含めた反射板５１の露出部には、反射性や外観意匠性を付与するために、絶縁性の塗装膜（例えば白色樹脂膜）が形成されている。打ち抜き加工によって取付孔６１及び突起６３ａ、６３ｂが形成され、さらに反射板５１が所望の形状に成形された後に、塗装が行われる。
【００４３】
取付部材３０のアーム部３２の一部が、図７及び８に示すように、反射板５１の取付孔６１に嵌合し、その状態で板バネの弾性復元力によりアーム部３２は取付孔６１の内壁６２ａ、６２ｂに圧接する。これにより、取付部材３０に対して反射板５１が保持される。
【００４４】
図７は、反射板５１の外側における、取付孔６１及び取付孔６１に嵌合するアーム部３２の拡大斜視図である。  
図８は、反射板５１の内側における、取付孔６１及び取付孔６１に嵌合するアーム部３２の拡大斜視図である。  
図９は、反射板５１の内側の拡大斜視図であり、アーム部３２を取付孔６１に嵌合させる途中の状態を表す。
【００４５】
反射板５１を取付部材３０に取り付けるにあたっては、取付部材３０のアーム部３２に対して反射板５１を相対的に近づけ、一対のアーム部３２を、対応する取付孔６１に対して相対的に挿入していく。アーム部３２は、反射板５１の内側から取付孔６１に挿入される。このとき、図９に示すように、アーム部３２における傾斜部３５の外側の面が、取付孔６１の一方の短辺側の内壁６２ａに押し当てられる。
【００４６】
反射板５１の短手方向の外側に位置する内壁６２ａに、一対のアーム部３２のそれぞれの傾斜部３５が押し当てられる。アーム部３２が取付孔６１の下方に深く挿入されるにつれて、一対のアーム部３２は、互いに近づく方向に、垂直部３３とベース部３１との境界付近を支点にして傾く。これにより、アーム部３２は、弾性復元力により、互いに離れる方向へ付勢され、傾斜部３５が取付孔６１の内壁６２ａに圧接する。
【００４７】
その内壁６２ａには突起６３ａが設けられているため、突起６３ａの先端が傾斜部３５に対して強く圧接する。そして、アーム部３２が取付孔６１の下方に深く挿入されるのにともない、突起６３ａの先端と傾斜部３５とが強く擦れながら、アーム部３２が取付孔６１の下方に入り込んでいく。これにより、突起６３ａの先端の絶縁性の塗装膜が削れて、突起６３ａの金属が露出する。取付部材３０には塗装は行われず、取付部材３０の全面に金属が露出している。
【００４８】
図４、７及び８に示すように、アーム部３２の係合部３４が取付孔６１の内壁６２ａに係合する位置まで、アーム部３２は取付孔６１の下方に挿入される。その内壁６２ａに設けられた突起６３ａの先端は係合部３４に圧接している。その突起６３ａの先端の塗装膜は前述したように剥がれているため、突起６３ａの先端で剥きだしになった金属が、係合部３４の金属に圧接している。
【００４９】
係合部３４が係合する内壁６２ａに対向する内壁６２ｂには、アーム部３２の先端部３６の一部が圧接している。この圧接時の衝撃により、内壁６２ｂに設けられた突起６３ｂの先端の塗装膜が剥がれ、この内壁６２ｂにおいても剥きだしになった突起６３ｂの金属とアーム部３２の先端部３６の金属との圧接が可能である。
【００５０】
図４、７及び８に示す状態で、一対のアーム部３２は、弾性復元力により互いに離れる方向に広がろうと付勢されている。そのため、係合部３４と内壁６２ａとの圧接状態、および先端部３６と内壁６２ｂとの圧接状態が安定して維持され、アーム部３２からの反射板５１の落下が防止され、反射板５１は取付部材３０に安定して保持される。
【００５１】
図４、７及び８に示す保持状態から、アーム部３２における、反射板５１の下方（シャーシ１１とは反対側）に突出する部分に指を当てて、一対のアーム部３２を弾性復元力に抗して互いに近づける方向に縮めることで、アーム部３２と取付孔６１との嵌合（係合）を解除でき、反射板５１を取付部材３０から取り外すことができる。すなわち、反射板５１および反射板５１に保持された複数のバッフル５４を含む配光部材５０は、取付部材３０に対して着脱自在であり、器具本体１０に対して着脱自在である。
【００５２】
反射板５１の製造時、取付孔６１の内壁および突起６３ａ、６３ｂを含めた反射板５１の露出部には、前述したように絶縁性の塗装膜が形成されるが、突起６３ａ、６３ｂに対してアーム部３２の一部を圧接させながらアーム部３２を取付孔６１に嵌合させることで、突起６３ａ、６３ｂにおけるアーム部３２との圧接部は塗装膜が削れて、突起６３ａ、６３ｂの金属とアーム部３２の金属とが圧接することになる。
【００５３】
したがって、反射板５１は突起６３ａ、６３ｂを介して取付部材３０と電気的に接続される。取付部材３０のベース部３１はシャーシ１１と接している。シャーシ１１は端子台７１のアース端子を通じて接地されている。また、反射板５１は、バッフル５４と接しており、さらにそのバッフル５４を通じてサイドバー５５と電気的に接続されている。したがって、実施形態によれば、器具本体１０だけでなく、反射板５１、バッフル５４およびサイドバー５５を含む配光部材５０も接地されている。
【００５４】
器具本体１０内で、例えば電気ケーブルが外れる、断線するなどして、反射板５１に接触すると、反射板５１が充電部となってしまうが、実施形態によれば、反射板５１は、突起６３ａ、６３ｂ、取付部材３０および器具本体１０を通じて接地されているため、確実に放電させることができる。
【００５５】
実施形態によれば、反射板５１に別途接地用の金具等を取り付けなくても、簡単な構成で、照明器具１全体の接地を確保できる。突起６３ａ、６３ｂは、打ち抜き加工で取付孔６１と同時に形成できるため、工程数およびコストの増大をまねかない。
【００５６】
反射板５１を取付部材３０に取り付ける通常の作業を行うことで、アーム部３２の弾性復元力を利用して突起６３ａ、６３ｂがアーム部３２に圧接し、塗装膜が削れて金属が露出する。このため、反射板５１の取り付け作業においても工数の追加がなく、複雑な作業も要しない。
【００５７】
突起６３ａ、６３ｂは、アーム部３２の幅方向のエッジに向き合う内壁（長辺側の内壁）ではなく、アーム部３２の板状の面に向き合う内壁（短辺側の内壁）６２ａ、６２ｂに設けることで、確実に突起６３ａ、６３ｂをアーム部３２に対して圧接させることができる。また、１つの取付孔６１に複数の突起６３ａ、６３ｂを設けることで、アーム部３２との接触の確実性を高めることができる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１…照明器具、１０…器具本体、１１…シャーシ、２０…蛍光ランプ、３０…取付部材、３２…アーム部、５０…配光部材、５１…反射板、５４…バッフル、６１…取付孔、６３ａ，６３ｂ…突起、７１…端子台、７２…電源ユニット
【図３】
2014011030.tif 000003
【図４】
2014011030.tif 000004
【図５】
2014011030.tif 000005
【図６】
2014011030.tif 000006
【図７】
2014011030.tif 000007
【図８】
2014011030.tif 000008
【図９】
2014011030.tif 000009
【図１】
2014011030.tif 000010
【図２】
2014011030.tif 000011